(57)【要約】      （修正有）【課題】能率よく、簡単に組立組成できるようにした円形汚泥槽における掻寄レーキアームを提供する。【解決手段】レーキ体を構造部材として備える多数のＸ状トラス５を組み合わせて２本のアーム４と前後の支杆４ａとより成る長方形の平面トラス状の左右一対の掻き寄せアーム体３と、前記Ｘ状トラス５の交差部に取付けられるピケットフェンス２０と、前記ピケットフェンス２０を備える掻き寄せアーム体３に引張アームを連結し、かつ１以上の補助杆を掛架するアーム構造体を備え、前記掻き寄せアーム体３とピケットフェンス２０との組み立ては、ピンまたはボルト接合とし、前記掻き寄せアーム体３と中央回転軸２とは掻き寄せアーム体３の支杆に突設した突片８の孔１０を介して、ボルト，ナットで連結し、かつ前記引張アームはターンバックルを介してヒンジで連結させる。【選択図】図５
0003145931.tif 000002
【実用新案登録請求の範囲】
【請求項１】
廃水処理などの汚泥や汚水を導入し、貯溜する円形汚泥槽の中心に配設される中央回転軸の下部に、前記円形汚泥槽の底面上を回転するレーキアームを配設し、このレーキアームに立設した多数のピケットフェンスにより貯溜液を攪拌すると共に、前記レーキアームの下部に並設した多数のレーキ板により外周側より順次と内周側へ貯溜液を掻き寄せて中央の集泥ピット内に持ち込みかつ外部へ排出するようにした円形汚泥槽において、
レーキ体を構造部材として備える多数のＸ状トラスを組み合わせて２本のアームと前後の支杆とより成る長方形の平面トラス状の左右一対の掻き寄せアーム体と、
前記Ｘ状トラスの交差部に取付けられるピケットフェンスと、
前記ピケットフェンスを備える掻き寄せアーム体に引張アームを連結し、かつ１以上の補助杆を掛架するアーム構造体を備え、
前記掻き寄せアーム体とピケットフェンスとの組み立ては、ピンまたはボルト接合とし、
前記掻き寄せアーム体と中央回転軸とは掻き寄せアーム体の支杆に突設した突片の孔を介して、ボルト，ナットで連結し、かつ前記引張アームはターンバックルを介してヒンジで連結させると共に、
前記掻き寄せアーム体，ピケットフェンス，アーム構造体の構成部材を、山形鋼，溝形鋼，角パイプ，丸パイプのうちの１以上を組み合わせて成ることを特徴とする円形汚泥槽における掻寄レーキアーム。
【請求項２】
請求項１記載のピケットフェンスは、Ｘ状トラスの交差部に座板を介して取付けることを特徴とする円形汚泥槽における掻寄レーキアーム。
【考案の詳細な説明】
【技術分野】
【０００１】
本考案は、廃水処理などの汚水や汚泥を処理する円形汚泥槽における掻寄レーキアームに関する。
【背景技術】
【０００２】
一般に、廃水処理から集められる汚水は各種構成の円形汚泥槽内に導入され、汚泥が槽内に沈降して槽底部に滞留するようになる。この沈降した汚泥は、周回するレーキアームにより外周側から順次と内周側へと掻き寄せられて、中央の集泥ピット内に持ち込むことで槽外へ排出するようにしてある（例えば、特許文献１参照）。
【０００３】
また、特許文献１に示されるレーキアームは、単純な一本で構成されているものから、立体トラスを用いた断面矩形状のアームを用いて強度を付加させた構造のものも知られている。
【特許文献１】特開２００５−６６５８２号公報
【考案の開示】
【考案が解決しようとする課題】
【０００４】
ところで、上記立体トラスのレーキアームは、必要以上に剛性を増し、強度的に過大な構造物にして構造が複雑で重量が大きく、組立作業が複雑で、効率よく簡単にできないという問題と、上記立体トラスのレーキアームは引掻き周囲操作に必要以上の抵抗力が加わる欠点があった。
【０００５】
本考案は、叙上の点に着目して成されたもので、掻き寄せアーム自体が抵抗の小さい平面トラス構造を備え、軽量化し、かつ組立簡単なボルト、ビスなどの捻子止めで能率よく、簡単に組立組成できるようにした円形汚泥槽における掻寄レーキアームを提供することを目的とする。
【課題を解決するための手段】
【０００６】
本考案は、以下の構成を備えることにより上記課題を解決できる。
【０００７】
（１）廃水処理などの汚泥や汚水を導入し、貯溜する円形汚泥槽の中心に配設される中央回転軸の下部に、前記円形汚泥槽の底面上を回転するレーキアームを配設し、このレーキアームに立設した多数のピケットフェンスにより貯溜液を攪拌すると共に、前記レーキアームの下部に並設した多数のレーキ板により外周側より順次と内周側へ貯溜液を掻き寄せて中央の集泥ピット内に持ち込みかつ外部へ排出するようにした円形汚泥槽において、
レーキ体を構造部材として備える多数のＸ状トラスを組み合わせて２本のアームと前後の支杆とより成る長方形の平面トラス状の左右一対の掻き寄せアーム体と、
前記Ｘ状トラスの交差部に取付けられるピケットフェンスと、
前記ピケットフェンスを備える掻き寄せアーム体に引張アームを連結し、かつ１以上の補助杆を掛架するアーム構造体を備え、
前記掻き寄せアーム体とピケットフェンスとの組み立ては、ピンまたはボルト接合とし、
前記掻き寄せアーム体と中央回転軸とは掻き寄せアーム体の支杆に突設した突片の孔を介して、ボルト，ナットで連結し、かつ前記引張アームはターンバックルを介してヒンジで連結させると共に、
前記掻き寄せアーム体，ピケットフェンス，アーム構造体の構成部材を、山形鋼，溝形鋼，角パイプ，丸パイプのうちの１以上を組み合わせて成ることを特徴とする円形汚泥槽における掻寄レーキアーム。
【０００８】
（２）前記（１）記載のピケットフェンスは、Ｘ状トラスの交差部に座板を介して取付けることを特徴とする円形汚泥槽における掻寄レーキアーム。
【考案の効果】
【０００９】
本考案によれば、種々の汚泥水のレーキアームによる回転作用は、平面トランス構成の掻き寄せアーム体によって、十分な強度を保持して円滑に行われ、常に吊り下げ状の引張アームの働きで無理なく回転運動を行わせることができ、また組立に際し、各部分の連結部はボルトとナットによる捻子止めであるので、簡単かつ能率的に行うことが可能である。
【００１０】
さらに、掻き寄せアーム体は、二本の平行したアームとレーキ体と複数の交叉するトラスを介在させた長方形の平面トラス状であるので、強度を高めて回転駆動を円滑に行わせることができる。
【００１１】
しかも、全体的に軽量化できるので、組立が簡単な構成の掻き寄せアームとなり、従来型の立体トラス構成に比し、重量が１／２〜１／３程度となり、製作コストも１／２、輸送費，現場据付コストが大幅に節減できる。
【考案を実施するための最良の形態】
【００１２】
以下本考案を実施するための最良の形態を、実施例により詳しく説明する。
【実施例】
【００１３】
図面において、１は有底円筒状の円形汚泥槽、２は前記槽１の中心位置に配設された中央回転軸を示し、図示しない公知の駆動手段により一方向に回転駆動される。３は左右一対の掻き寄せアーム体で、二本の平行したアーム４，４とこの二本のアーム４，４を支持する交叉したＸ状のトラス５を複数連設すると共に、前記アーム４，４を結ぶ支杆４ａ，４ａを有し、平面長方形の形状を備える。
【００１４】
そして、中央回転軸２の基部に設けた底板６の左右に固着した脚杆７，７には前記掻き寄せアーム体３の内側の支杆４ａ，４ａに突設した一対の突片８，８を抱止する二又状の枢支板９，９を設け、この枢支板９，９内に突片８，８を挿通し、連通する孔１０内にボルト１１とナット１２により所謂、捻子止めにより中央回転軸２の基部の左右に一対の掻き寄せアーム体３を取付けることができる（図５拡大図参照）。
【００１５】
１３は中央回転軸２の下部上方に設けた左右一対の掛止片、１４は前記掻き寄せアーム体３の先端に枢支させた引張アームで、基端にはターンバックル１５を介して前記掛止片１３と係止できる二又片１６を設けて、ボルト１７とナット１８による所謂、捻子止めで吊下げさせている（図５拡大図参照）。
【００１６】
１９は前記掻き寄せアーム体３の複数のＸ状トラス５の中央に配置させた座板、２０は、この座板１９に基端を固着させた複数のピケットフェンスを示し、前記吊り下げられている引張アーム１４より上方位置まで伸長される。なお、図示ではピケットフェンス２０の基端は座板１９に固着させてあるが、ヒンジ構造で取付けることもできる。
【００１７】
２１は補助杆で、前記引張アーム１４の途中より二本のアーム４，４のＸ状のトラス５に向って配設され、ボルトとナットによる捻子止め２２で取付けられている。この補助杆２１は、図８（ａ），（ｂ），（ｃ）のように傾斜方向を交互に異ならせて取付け位置を変えたり、数を増やしたりして補強することができ、掻き寄せアーム体３の長さの長短に応じて自由にその設置数を可変できる。
【００１８】
そして、前記ピケットフェンス２０と交叉する引張アーム１４と補助杆２１との交叉部には、連通する孔を設けてボルトとナットによる捻子止め２３によって確固に固定する。
【００１９】
２４は、前記掻き寄せアーム体３の下部に多数傾斜して連設されるレーキ体を示し、掻き寄せアーム体３の二本のアーム４，４に設けた孔と、レーキ体２４のレーキ基体２５の孔とを一致させ、ボルトとナットによる捻子止め２６で固定できると共に、レーキ基体２５にはゴムなどの平板２７を垂下固着させてある。
【００２０】
なお、傾斜方向にレーキ体２４が配設してあるため、回転方向Ｒ（図２参照）であれば、レーキ体２４の回転により中心方向Ｓに向って貯溜汚泥液は移送される。
【００２１】
なお、図において２８は円形汚泥槽１に廃水処理の汚泥液を供給する供給管、２９は中央回転軸２の下部に設けられる集泥ピットに相当するコーンスクレーパ、３０は引抜き汚泥管、３１はスカムピットをそれぞれ示す。
【００２２】
本考案によれば、中央回転軸２に取付けられる平面トラスを構成する掻き寄せアーム体３，引張アーム１４，ピットフェンス２０，補助杆２１ならびにレーキ体２４は、すべてボルトとナットとによる捻子止めで組成されるので、迅速，簡単で能率よく設置施工できると共に、回転駆動される左右一対の掻き寄せアーム体３は、多数のＸ状のトラス５で補強してあるため、汚泥液の高濃度、高粘度にも十分対応でき、円滑な回転駆動を行わせることができる。
【００２３】
なお、掻き寄せアーム体３，引張アーム１４，ピケットフェンス２０は好みの金属で制作できるが、図示の通りのＬ字状金属またはパイプを用いた耐蝕性金属で制作するのが好ましい。
【図面の簡単な説明】
【００２４】
【図１】本考案に係る掻寄レーキアームを備えた円形汚泥槽の一実施例を示すもので、（ａ）は概略縦断側面図、（ｂ）は掻寄レーキアームの平面図
【図２】中央回転軸に捻子止め固定された掻寄レーキアームの取付構成を示す平面図
【図３】図２の正面図
【図４】中央回転軸の一方に結合組立てられる各種部材の分解正面図
【図５】中央回転軸の基部に組立連結される一方の掻寄レーキアームと円形部分の中央回転軸の拡大平面図
【図６】掻寄レーキアームの下部に取付けられるレーキ板の断面図
【図７】ピケットフェンスの取付状態を示す座板の平面図
【図８】（ａ），（ｂ），（ｃ）は補助杆の設置数を異にして示す３例の掻寄レーキアームの正面図
【符号の説明】
【００２５】
１    槽
２    中央回転軸
３    掻き寄せアーム体
４    アーム
４ａ  支杆
５    Ｘ状のトラス
６    底板
７    脚杆
８    突片
９    枢支板
１０    孔
１１    ボルト
１２    ナット
１３    掛止片
１４    引張アーム
１５    ターンバックル
１６    二又片
１７    ボルト
１８    ナット
１９    座板
２０    ピケットフェンス
２１    補助杆
２２    捻子止め
２３    捻子止め
２４    レーキ体
２５    レーキ基体
２６    捻子止め
２７    平板
２８    供給管
２９    コーンスクレーパ
３０    引抜き汚泥管
３１    スカムピット
【図１】
0003145931.tif 000003
【図２】
0003145931.tif 000004
【図３】
0003145931.tif 000005
【図４】
0003145931.tif 000006
【図５】
0003145931.tif 000007
【図６】
0003145931.tif 000008
【図７】
0003145931.tif 000009
【図８】
0003145931.tif 000010